(57)【要約】【課題】患部を冷やすまたは温めるために患部に押し当てる際に生じる痛みや不快感を軽減できる温冷両用罨法装置の提供。【解決手段】所定の接触面１１２を有する接触部１１と、接触部１１の周縁から所定の接触面１１２の反対側へ突出する周壁部１２と、周壁部１２の接触部１１から離れた端部から周壁部１２の外側に張り出す受動部１３と、を有し、且つ、熱良導体により作成された接触手段１と、接触手段１の温度を調節できる温度調節手段２と、周壁部１２を周りから囲むと共に、受動部１３に当接する制限壁３１と、制限壁３１と略平行であり且つ受動部１３が移動できるように収容される間を制限壁３１との間に空けて配置されている固定壁３２と、を有する制限手段３と、固定壁３２に取付けられている一端及び接触手段１の受動部１３に当接している他端を有し、受動部１３に対して制限壁３１に接近する付勢力を与えるクッション手段４と、を具えた温冷両用罨法装置。【選択図】図２
2016059794.tif 000002
【特許請求の範囲】
【請求項１】
所定の接触面を有するように形成された接触部と、前記接触部の周縁から前記所定の接触面が向かう側の反対側へ突出する周壁部と、前記周壁部の前記接触部から離れた端部から前記周壁部の外側に張り出す受動部と、を有するように構成され、且つ、熱良導体により作成された接触手段と、
前記接触手段の温度を調節できるように構成された温度調節手段と、
前記周壁部を周りから囲むことができると共に、前記受動部に当接することができる制限壁と、前記制限壁と略平行であり且つ前記制限壁と所定の隙間を空けて配置されている固定壁と、を有する上、前記受動部が前記制限壁と前記固定壁との間で移動可能に前記隙間内に収容されるように構成されている制限手段と、
前記制限手段の前記固定壁に取付けられている一端及び前記接触手段の前記受動部に当接している他端を有し、前記接触手段の前記受動部に対して前記制限壁に接近する付勢力を与えるクッション手段と、を具えたことを特徴とする温冷両用罨法装置。
【請求項２】
前記クッション手段は、少なくとも１つの圧縮コイルばねとして構成されていることを特徴とする請求項１に記載の温冷両用罨法装置。
【請求項３】
前記温度調節手段は、前記接触部の前記所定の接触面の反対側に取付けられていると共に、冷却状態と加温状態とを切り替えることができるペルティエ素子と、前記ペルティエ素子の前記接触部に向かう面の反対側に取付けられているヒートシンクと、前記ペルティエ素子と電気的に接続し、前記ペルティエ素子の冷却状態と加温状態との切替を制御することができるように構成された回路基板と、を有することを特徴とする請求項１または請求項２に記載の温冷両用罨法装置。
【請求項４】
前記温度調節手段は、前記ヒートシンクの前記接触部に向かう面の反対側に設置されているファンユニットをさらに有し、前記回路基板は、環状に形成されて前記ファンユニットを囲むように配置されていることを特徴とする請求項３に記載の温冷両用罨法装置。
【請求項５】
前記接触手段の前記接触部の反対側において前記制限手段に取付けられているカバー手段を更に具え、
該カバー手段に通気孔が複数開けられており、
前記温度調節手段が有する前記ファンユニットは、空気を前記通気孔を経由して吹き出すように駆動されるものであることを特徴とする請求項４に記載の温冷両用罨法装置。
【請求項６】
前記クッション手段は、互いに所定の距離を開けている４つの圧縮コイルばねにより構成されていることを特徴とする請求項１〜請求項５のいずれか一項に記載の温冷両用罨法装置。
【発明の詳細な説明】
【技術分野】
【０００１】
本発明は温冷両用罨法装置に関し、特に医療用の温冷両用罨法装置に関する。
【背景技術】
【０００２】
運動中の衝突または打撲により捻挫やあざが生じた際に、緊急措置として、患部を冷やして、その内出血を抑え、痛みを和らげることは一般の措置方法である。その時に、患部を冷やすために、氷枕やアイスパックなどの冷却道具が使用されている。
【０００３】
しかし、上記の冷却道具を使用するには、事前に冷却しなければならず、また、使用に際して常温環境に置かれると、徐々に温度が上がって、冷却効果を失うという欠点がある。
【０００４】
特許文献１には、金属製の接触板にペルティエ素子が設置されている罨法装置が開示されている。ペルティエ素子に対して電流を流すと、片方の金属からもう片方へ熱が移動するというペルティエ素子の性質を利用することにより、接触板を速やかに冷却することができるので、特許文献１の罨法装置は事前に冷却しなくても、通電すればすぐ使用でき、上記の冷却道具の欠点を解消できる上、更に、電流を流す方向を逆にして通電すると、接触板を加温することができるので、患部を温める機能も有する。
【０００５】
しかし、上記の罨法装置では、金属製の接触板を患部に直接押し当てる必要があるので、その際に、押し当ての力が大きすぎると、患者の痛みや不快感が強まるという欠点がある。
【先行技術文献】
【特許文献】
【０００６】
【特許文献１】台湾特許第Ｉ３３３４１７号明細書
【発明の概要】
【発明が解決しようとする課題】
【０００７】
上記問題点に鑑みて、本発明は、患部を冷やすまたは温めるために患部に押し当てる際に生じる痛みや不快感を軽減できる温冷両用罨法装置を提供する。
【課題を解決するための手段】
【０００８】
上記目的を達成すべく、本発明は、所定の接触面を有するように形成された接触部と、前記接触部の周縁から所定の接触面１１２が向う側の反対側へ突出する周壁部と、前記周壁部の前記接触部から離れた端部から前記周壁部の外側に張り出す受動部と、を有するように構成され、且つ、熱良導体により作成された接触手段と、前記接触手段の温度を調節できるように構成された温度調節手段２と、前記周壁部を周りから囲むことができると共に、前記受動部に当接することができる制限壁と、前記制限壁と略平行であり且つ所定の隙間を空けて配置されている固定壁と、を有する上、前記受動部が前記制限壁と前記固定壁との間で移動可能に前記隙間内に収容されるように構成されている制限手段と、前記制限手段の前記固定壁に取付けられている一端及び前記接触手段の前記受動部に当接している他端を有し、前記接触手段の前記受動部に対して前記制限壁に接近する付勢力を与えるクッション手段と、を具えたことを特徴とする温冷両用罨法装置を提供する。
【発明の効果】
【０００９】
上記の構成によれば、本発明の温冷両用罨法装置は、固定壁と制限壁との間で移動できるように設置されている接触手段の受動部、及び受動部に対して制限壁に接近する付勢力を与えるクッション手段を有するので、接触手段の接触部を患者の患部に押し当てる際に、接触手段が固定壁の方向に移動することにより、押し当ての力が和らげられる。よって温冷両用罨法装置を使用することにより生じる痛みや不快感を従来の温冷両用罨法装置よりも大幅に軽減できる。
【図面の簡単な説明】
【００１０】
【図１】本発明の温冷両用罨法装置の好ましい実施形態の部品分解図である。
【図２】上記の温冷両用罨法装置の実施形態の断面図である。
【発明を実施するための形態】
【００１１】
以下では各図面を参照しながら、本発明の好ましい実施形態について詳しく説明する。
【００１２】
本発明の温冷両用罨法装置の好ましい実施形態は、図１に示されるように、接触手段１と、温度調節手段２と、制限手段３と、クッション手段４と、カバー手段５と、により構成されている。
【００１３】
接触手段１は、図２に示されるように、所定の接触面１１２を有し、所定の接触面１１２が向かう方向に突出する接触突起１１１が形成されている接触部１１と、接触部１１の周縁から所定の接触面１１２が向かう側の反対側へ突出する周壁部１２と、周壁部１２の接触部１１から離れた端部から、所定の接触面１１２と略平行となるように張り出す受動部１３と、を有するように構成され、且つ、熱良導体により作成された。
【００１４】
接触手段１を作成する熱良導体として、例えば、金、銀、銅、鉄、アルミのいずれかまたはそれらを含有する材料を使用することができる。この実施形態において、接触手段１はアルミにより作成された。
【００１５】
温度調節手段２は、図１及び図２に示されるように、熱伝導性が高い接着シート２３を介して、接触突起１１１の所定の接触面１１２の反対面に接着して取付けられていると共に、冷却状態と加温状態とを切り替えることができるペルティエ素子２１と、接着シート２３を介して、ペルティエ素子２１の接触突起１１１に取付けられている面の反対面に接着して取付けられているヒートシンク２２と、ヒートシンク２２のペルティエ素子２１に取付けられている面の反対側に設置されているファンユニット２４と、ペルティエ素子２１と電気的に接続し、前記ペルティエ素子２１の冷却状態と加温状態との切替を制御することができるように構成され、環状に形成されて前記ファンユニット２４を囲むように配置されている回路基板２５と、により構成されている。この実施形態において、ファンユニット２４は、ヒートシンク２２のペルティエ素子２１に取付けられている面の反対面に取り付けられている。
【００１６】
制限手段３は、図１及び図２に示されるように、接触手段１の周壁部１２を周りから囲むことができると共に、所定の接触面１１２と略平行であり、接触手段１の受動部１３に当接することができる制限壁３１と、温度調節手段２のヒートシンク２２が通過できる開口が開けられ、制限壁３１と略平行であり且つ受動部１３が移動できるように収容される間を制限壁３１との間に空けて配置されている固定壁３２と、制限壁３１の周壁部１２に向かう側の反対側である外側と固定壁３２の外側とを連接するように形成された連接壁３３と、を有するように構成されている。なお、温度調節手段２の回路基板２５は、固定壁３２の制限壁３１に向かう側の反対側に設置されている。
【００１７】
クッション手段４は、図２に示されるように、制限手段３の固定壁３２に取付けられている一端及び接触手段１の受動部１３に当接している他端を有し、互いに所定の距離を開けている４つの圧縮コイルばね４１により構成され、接触手段１の受動部１３に対して制限壁３１に接近する付勢力を与える。
【００１８】
接触手段１は、接触突起１１１が圧迫されると、受動部１３が制限壁３１から離れるように、固定壁３２へ移動する。同時に、受動部１３が直接的に固定壁３２に移動しないように、クッション手段４は受動部１３に対して、クッション機能として制限壁３１に接近する付勢力を与える。そして、接触突起１１１が圧迫を受けなくなると、クッション手段４からの付勢力により、接触手段１は、受動部１３が制限壁３１に当接するように制限壁３１へ移動して、元の位置に戻る。
【００１９】
カバー手段５は、通気孔５１が複数開けられ、接触手段１の接触部１１の反対側において制限手段３に、ファンユニット２４及び回路基板２５をカバーするように取付けられている。
【００２０】
温度調節手段２が有するファンユニット２４は、空気を通気孔５１を経由して吹き出すように駆動される。
【００２１】
上記の構成によれば、本発明の温冷両用罨法装置は、温度調節手段２の冷却状態と加温状態とを切り替えることができるペルティエ素子２１が、熱伝導性が高い接着シート２３を介して、熱良導体で作成された接触手段１の接触突起１１１の所定の接触面１１２の反対面に接着して取付けられているので、接触手段１は、ペルティエ素子２１に対して電流を流すと、片方の金属からもう片方へ熱が移動するという性質により、接触手段１を速やかに冷却または加温することができ、温冷両用罨法装置として機能することができる。
【００２２】
また、接触手段１は、クッション手段４から付与される付勢力を有する上に、制限手段３の制限壁３１と固定壁３２との間で移動できるので、本発明の温冷両用罨法装置を患部に押し付ける際に、接触手段１がクッション手段４に制限壁３１の方向へ押さえられながら固定壁３２の方向に移動することにより、過剰な押し当て力を吸収でき、温冷両用罨法装置を使用することにより生じる痛みや不快感が、従来の温冷両用罨法装置より遥かに軽減できる。
【産業上の利用可能性】
【００２３】
本発明の温冷両用罨法装置は、運動中の衝突または打撲による捻挫やあざに対する緊急措置をする際に使用することができる。
【符号の説明】
【００２４】
１  接触手段
１１  接触部
１１１  接触突起
１１２  所定の接触面
１２  周壁部
１３  受動部
２  温度調節手段
２１  ペルティエ素子
２２  ヒートシンク
２３  接着シート
２４  ファンユニット
２５  回路基板
３  制限手段
３１  制限壁
３２  固定壁
３３  連接壁
４  クッション手段
４１  圧縮コイルばね
５  カバー手段
５１  通気孔
【図１】
2016059794.tif 000003
【図２】
2016059794.tif 000004